(57)【要約】【課題】  仮設用設備を容易に設置することができるとともに、設置場所の自由度を高めることができる設備仮設装置を提供する。【解決手段】  仮設用設備１２が取り付けられるポール４と、ポール４を支持するための支持手段６と、を備える。支持手段６は、ベースフレーム１６と、ベースフレーム１６に回転自在に取り付けられた支持フレーム１８と、を有し、支持フレーム１８は、ベースフレーム１６に沿って折り畳まれる折畳位置と、ベースフレーム１６より立設される使用位置との間を回転自在に構成されている。支持フレーム１８が使用位置に位置付けられた状態で、ポール４の下端部はベースフレーム１６に着脱自在に支持され、ポール４の下端部よりも上側の部位は支持フレーム１８に着脱自在に支持される。【選択図】  図１
2013008535.tif 000002
【特許請求の範囲】
【請求項１】
仮設用設備が取り付けられるポールと、前記ポールを支持するための支持手段と、を備えた設備仮設装置であって、
前記支持手段は、ベースフレームと、前記ベースフレームに回転自在に取り付けられた支持フレームと、を有し、前記支持フレームは、前記ベースフレームに沿って折り畳まれる折畳位置と、前記ベースフレームより立設される使用位置との間を回転自在に構成されており、
前記支持フレームが前記使用位置に位置付けられた状態で、前記ポールの下端部は前記ベースフレームに着脱自在に支持され、前記ポールの下端部よりも上側の部位は前記支持フレームに着脱自在に支持されることを特徴とする設備仮設装置。
【請求項２】
前記ベースフレームには、前記ポールの下端部を着脱自在に支持するための第１ポール支持部が設けられ、前記支持フレームには、前記ポールの下端部よりも上側の部位を着脱自在に支持するための第２ポール支持部が設けられており、
前記第１ポール支持部は、前記ベースフレームに対して回転自在に構成されていることを特徴とする請求項１に記載の設備仮設装置。
【請求項３】
前記支持フレームは第１支持フレーム及び第２支持フレームを有し、前記第１支持フレーム及び前記第２支持フレームはそれぞれ、前記折畳位置と前記使用位置との間を回転自在に構成されており、
前記支持フレームに関連して、前記第１支持フレームと前記第２支持フレームとを相互に連結する連結部材が設けられ、前記連結部材には、前記仮設用設備に電力を供給するための太陽電池パネルが着脱自在に支持されることを特徴とする請求項１又は２に記載の設備仮設装置。
【請求項４】
前記仮設用設備は照明器具であり、前記ベースフレーム又は前記支持フレームには、前記太陽電池パネルからの電力を蓄えるための蓄電手段が取り付けられ、前記蓄電手段に蓄えられた電力は、前記照明器具に供給されることを特徴とする請求項３に記載の設備仮設装置。
【請求項５】
前記ベースフレームは、第１ベースフレームと、前記第１ベースフレームに引き出し自在に収容される第２ベースフレームと、を有し、前記第１ベースフレームには、前記支持フレームが回転自在に取り付けられ、
前記第２ベースフレームは、前記第１ベースフレームに収容される収容位置と、前記第１ベースフレームから引き出される引出位置とに保持されることを特徴とする請求項１〜４のいずれかに記載の設備仮設装置。
【発明の詳細な説明】
【技術分野】
【０００１】
本発明は、例えば照明器具等の仮設用設備を設置するための設備仮設装置に関する。
【背景技術】
【０００２】
例えば地震等の被災地や屋外のイベント会場等においては、暗がりを照らすための仮設用街路灯を設置する場合がある。従来の仮設用街路灯は、支柱と、支柱の上端部に取り付けられた仮設用設備としての照明器具と、を備えている（例えば、特許文献１参照）。
【０００３】
この仮設用街路灯を設置する際には、まず、設置場所となる地面を所定深さまで掘削し、支柱を略垂直に立てた状態で、その下端部を地中に埋め込んで固定する。その後、照明器具から延びる配線を非常用電源等に電気的に接続する。非常用電源等からの所定の電力が配線を介して照明器具に供給されることにより、照明器具が点灯する。
【先行技術文献】
【特許文献】
【０００４】
【特許文献１】特開２００８−１１６８８９号公報
【発明の概要】
【発明が解決しようとする課題】
【０００５】
しかしながら、上述した従来の仮設用街路灯では、次のような問題がある。支柱の大きさや重量は大がかりなものであるため、支柱を設置場所まで運搬する作業や、支柱を略垂直に立ててその下端部を地中に埋め込む作業等を容易に行うことができない。また、支柱の下端部を地中に固定するために地面を掘削しなければならないため、地面が例えばアスファルトや泥濘である場所には支柱を設置することができず、設置場所の自由度が低下してしまう。
【０００６】
本発明の目的は、仮設用設備を容易に設置することができるとともに、設置場所の自由度を高めることができる設備仮設装置を提供することである。
【課題を解決するための手段】
【０００７】
本発明の請求項１に記載の設備仮設装置では、仮設用設備が取り付けられるポールと、前記ポールを支持するための支持手段と、を備えた設備仮設装置であって、
前記支持手段は、ベースフレームと、前記ベースフレームに回転自在に取り付けられた支持フレームと、を有し、前記支持フレームは、前記ベースフレームに沿って折り畳まれる折畳位置と、前記ベースフレームより立設される使用位置との間を回転自在に構成されており、
前記支持フレームが前記使用位置に位置付けられた状態で、前記ポールの下端部は前記ベースフレームに着脱自在に支持され、前記ポールの下端部よりも上側の部位は前記支持フレームに着脱自在に支持されることを特徴とする。
【０００８】
また、本発明の請求項２に記載の設備仮設装置では、前記ベースフレームには、前記ポールの下端部を着脱自在に支持するための第１ポール支持部が設けられ、前記支持フレームには、前記ポールの下端部よりも上側の部位を着脱自在に支持するための第２ポール支持部が設けられており、
前記第１ポール支持部は、前記ベースフレームに対して回転自在に構成されていることを特徴とする。
【０００９】
また、本発明の請求項３に記載の設備仮設装置では、前記支持フレームは第１支持フレーム及び第２支持フレームを有し、前記第１支持フレーム及び前記第２支持フレームはそれぞれ、前記折畳位置と前記使用位置との間を回転自在に構成されており、
前記支持フレームに関連して、前記第１支持フレームと前記第２支持フレームとを相互に連結する連結部材が設けられ、前記連結部材には、前記仮設用設備に電力を供給するための太陽電池パネルが着脱自在に支持されることを特徴とする。
【００１０】
また、本発明の請求項４に記載の設備仮設装置では、前記仮設用設備は照明器具であり、前記ベースフレーム又は前記支持フレームには、前記太陽電池パネルからの電力を蓄えるための蓄電手段が取り付けられ、前記蓄電手段に蓄えられた電力は、前記照明器具に供給されることを特徴とする。
【００１１】
また、本発明の請求項５に記載の設備仮設装置では、前記ベースフレームは、第１ベースフレームと、前記第１ベースフレームに引き出し自在に収容される第２ベースフレームと、を有し、前記第１ベースフレームには、前記支持フレームが回転自在に取り付けられ、
前記第２ベースフレームは、前記第１ベースフレームに収容される収容位置と、前記第１ベースフレームから引き出される引出位置とに保持されることを特徴とする。
【発明の効果】
【００１２】
本発明の請求項１に記載の設備仮設装置によれば、支持手段の支持フレームは、ベースフレームに沿って折り畳まれる折畳位置と、ベースフレームより立設される使用位置との間を回転自在に構成されている。これにより、支持フレームを折畳位置から使用位置に回転させた状態で、ポールをベースフレーム及び支持フレームに支持させることにより、設備仮設装置の設置を容易に行うことができる。また、ポールの下端部がベースフレームに支持されるとともに、ポールの下端部よりも上側の部位が支持フレームに支持されるので、ポールを支持手段に安定して支持させることができる。また、設備仮設装置の設置場所となる地面に支持手段のベースフレームを設置（載置）すればよく、地面が例えばアスファルトや泥濘等であっても容易に設置することができ、設備仮設装置の設置場所の自由度を高めることができる。
【００１３】
また、本発明の請求項２に記載の設備仮設装置によれば、ベースフレームに設けられた第１ポール支持部は、ベースフレームに対して回転自在に構成されている。ポールを支持手段に支持させる際には、第１ポール支持部をベースフレームに対して所定方向に回転させることにより、ポールを傾斜させた状態でその下端部を第１ポール支持部に支持させることができる。その後、第１ポール支持部をベースフレームに対して上記所定方向と反対方向に回転させることにより、ポールを傾斜状態から直立状態にすることができる。これにより、ポールの長さが比較的長い場合であっても、ポールを支持手段に支持させる作業を容易に行うことができる。
【００１４】
また、本発明の請求項３に記載の設備仮設装置によれば、第１支持フレームと第２支持フレームとを相互に連結する連結部材が設けられ、この連結部材には、仮設用設備に電力を供給するための太陽電池パネルが着脱自在に支持される。このように、連結部材を太陽電池パネルの支持手段として用いることによって、太陽電池パネルを支持するための専用部品等を省略することができ、設備仮設装置の構造を簡素化することができる。
【００１５】
また、本発明の請求項４に記載の設備仮設装置によれば、ベースフレーム又は支持フレームには、太陽電池パネルからの電力を蓄えるための蓄電手段が取り付けられ、蓄電手段に蓄えられた電力は、仮設用設備としての照明器具に供給される。これにより、設備仮設装置を仮設用街路灯として用いることができる。また、日中には、太陽電池パネルにて発電された電力が蓄電手段に蓄えられ、夜間には、蓄電手段に蓄えられた電力が照明器具に供給されるので、電力確保の困難な場所であっても照明器具を点灯させることができる。
【００１６】
また、本発明の請求項５に記載の設備仮設装置によれば、第２ベースフレームは、第１ベースフレームに収容される収容位置と、第１ベースフレームから引き出される引出位置とに保持されるので、第２ベースフレームを引出位置に保持することにより、ベースフレームと地面との接触面積が大きくなり、ベースフレームを地面に安定して支持させることができる。また、第２ベースフレームを収容位置に保持することにより、ベースフレーム全体の大きさをコンパクトにすることができ、支持手段の運搬や保管等を容易に行うことができる。
【図面の簡単な説明】
【００１７】
【図１】本発明の一実施形態による設備仮設装置を示す斜視図である。
【図２】支持手段を折り畳んだ状態を示す斜視図である。
【図３】第２ベースフレームを引出位置に位置付けた状態を示す斜視図である。
【図４】第１支持フレームを使用位置に位置付けた状態を示す斜視図である。
【図５】第２支持フレームを使用位置に位置付けた状態を示す斜視図である。
【図６】第１支持フレームと第２支持フレームとを連結アーム部により連結した状態を示す斜視図である。
【図７】ポールを支持手段に支持させる方法を説明するための斜視図である。
【発明を実施するための形態】
【００１８】
以下、添付図面を参照して、本発明に従う設備仮設装置の一実施形態について説明する。図１は、本発明の一実施形態による設備仮設装置を示す斜視図であり、図２は、支持手段を折り畳んだ状態を示す斜視図であり、図３は、第２ベースフレームを引出位置に位置付けた状態を示す斜視図であり、図４は、第１支持フレームを使用位置に位置付けた状態を示す斜視図であり、図５は、第２支持フレームを使用位置に位置付けた状態を示す斜視図であり、図６は、第１支持フレームと第２支持フレームとを連結アーム部により連結した状態を示す斜視図であり、図７は、ポールを支持手段に支持させる方法を説明するための斜視図である。
【００１９】
図１を参照して、図示の設備仮設装置２は、ポール４と、ポール４を着脱自在に支持するための支持手段６と、を備えている。本実施形態では、設備仮設装置２を仮設用街路灯から構成する場合について説明する。以下、設備仮設装置２の構成について詳細に説明する。
【００２０】
ポール４は、パイプ状に構成された第１ポール体８及び第２ポール体１０を有している。第２ポール体１０の外径は第１ポール体８の内径よりも幾分小さく構成され、第２ポール体１０は、第１ポール体８の内部に引き出し自在に収容されている。これによりポール４は、第２ポール体１０が第１ポール体８の内部に収容される収縮状態（図１において二点鎖線で示す）と、第２ポール体１０が第１ポール体８から引き出される伸長状態（図１において実線で示す）とに保持される。なお、ポール４が収縮状態に保持されると、ポール４全体の長さは例えば約２ｍとなり、ポール４が伸長状態に保持されると、ポール４全体の長さは例えば約４ｍとなる。
【００２１】
ポール４の上端部、即ち第２ポール体１０の上端部には、照明器具１２（仮設用設備を構成する）が取り付けられている。本実施形態では、照明器具１２はＬＥＤタイプの照明器具から構成されており、ケーシング１４と、ケーシング１４に取り付けられた複数のＬＥＤ（図示せず）と、を有している。
【００２２】
支持手段６は、ベースフレーム１６及び支持フレーム１８を有している。ベースフレーム１６は、第１ベースフレーム２０及び第２ベースフレーム２２を有している。第１ベースフレーム２０は、パイプ状に構成されたフレーム部２４ａ〜２４ｅを有し、これらフレーム部２４ａ〜２４ｅは全体として略日の字状に組み合わされている。フレーム部２４ａ〜２４ｄは全体として略ロの字状に組み合わされ、フレーム部２４ａ及びフレーム部２４ｂ、フレーム部２４ｃ及びフレーム部２４ｄはそれぞれ相互に対向して配置されている。フレーム部２４ｅは、フレーム部２４ｃとフレーム部２４ｄとの間に架け渡されている。フレーム部２４ｃ，２４ｄの各一端部は、外側に幾分突出されている。
【００２３】
フレーム部２４ａの長手方向中央部には、第１ポール支持部２６が回転自在に設けられている。この第１ポール支持部２６は、可動プレート２８と、可動プレート２８の片面に設けられた支持筒部３０と、を有している。可動プレート２８の一端部は、フレーム部２４ａに回転自在に取り付けられ、その他端部は、フレーム部２４ｅに離脱自在に支持されている。これにより、第１ポール支持部２６は、フレーム部２４ａを中心として第２ベースフレーム２２側に回転させることができる（図７参照）。支持筒部３０には、ポール４の下端部、即ち第１ポール体８の下端部が着脱自在に挿入されている。
【００２４】
フレーム部２４ｂの長手方向両端部にはそれぞれ、支持ブラケット３２ａ，３２ｂが設けられている。また、フレーム部２４ｅの長手方向両端部にはそれぞれ、支持ブラケット３４ａ，３４ｂが設けられている。フレーム部２４ａ及びフレーム部２４ｅには、バッテリ３６（蓄電手段を構成する）が着脱自在に支持されている。
【００２５】
第２ベースフレーム２２は、パイプ状に構成されたフレーム部３８ａ〜３８ｄを有している。第２ベースフレーム２２の外径は、第１ベースフレーム２０の内径よりも幾分小さく構成されている。フレーム部３８ａ〜３８ｃは全体として略コの字状に組み合わされ、フレーム部３８ａ，３８ｂは相互に対向して配置されている。フレーム部３８ｄは、フレーム部３８ａとフレーム部３８ｂとの間に架け渡されている。フレーム部３８ａ，３８ｂの各一端部はそれぞれ、第１ベースフレーム２０のフレーム部２４ｃ，２４ｄの各一端部にスライド移動自在に挿入されている。これにより、第２ベースフレーム２２は、第１ベースフレーム２０に収容される収容位置（図２参照）と、第１ベースフレーム２０から引き出される引出位置（図１及び図３〜図７参照）との間を自在にスライド移動される。
【００２６】
支持フレーム１８は、第１支持フレーム４０及び第２支持フレーム４２を有している。第１支持フレーム４０は、パイプ状に構成されたフレーム部４４ａ〜４４ｄを有している。フレーム部４４ａ〜４４ｃは全体として略コの字状に組み合わされ、フレーム部４４ａ，４４ｂは相互に対向して配置されている。フレーム部４４ｄは、フレーム部４４ａとフレーム部４４ｂとの間に架け渡されている。フレーム部４４ａ，４４ｂはそれぞれ伸縮自在に構成され、それらの一端部はそれぞれ、第１ベースフレーム２０のフレーム部２４ｅの長手方向両端部に回転自在に取り付けられている。フレーム部４４ａ，４４ｂにはそれぞれ、パイプ状に構成された支持アーム部４６ａ，４６ｂが回転自在に取り付けられている。これら支持アーム部４６ａ，４６ｂの各一端部はそれぞれ、第１ベースフレーム２０の第２フレーム部２４ｂに設けられた支持ブラケット３２ａ，３２ｂに固定用ボルト４８により着脱自在に固定されている。また、フレーム部４４ｃの長手方向両端部にはそれぞれ、アングル材から構成された連結アーム部５０ａ，５０ｂ（連結部材を構成する）が回転自在に構成されている。
【００２７】
また、フレーム部４４ｃ及びフレーム部４４ｄには、第２ポール支持部５２が設けられている。この第２ポール支持部５２は、固定プレート５４及び支持カバー５６を有している。固定プレート５４は、フレーム部４４ｃ及びフレーム部４４ｄに固定されている。支持カバー５６は半円筒状に構成され、固定プレート５４に固定用ボルト５８により着脱自在に取り付けられている。支持カバー５６と固定プレート５４との間には、ポール４の下端部よりも上側の部位が着脱自在に支持されている。
【００２８】
上述した第１支持フレーム４０は、第１ベースフレーム２０に沿って折り畳まれる折畳位置（図２及び図３参照）と、第１ベースフレーム２０から略垂直に立設される使用位置（図１及び図４〜図７参照）との間を回転自在に構成されている。
【００２９】
第２支持フレーム４２は、パイプ状に構成されたフレーム部６０ａ〜６０ｃを有している。フレーム部６０ａ〜６０ｃは全体として略コの字状に組み合わされ、フレーム部６０ａ，６０ｂは相互に対向して配置されている。フレーム部６０ａ，６０ｂの各一端部はそれぞれ、第１ベースフレーム２０のフレーム部２４ｂの長手方向両端部に回転自在に取り付けられている。フレーム部６０ａ，６０ｂの各他端部にはそれぞれ、パイプ状に構成された支持アーム部６２ａ，６２ｂが回転自在に設けられている。これら支持アーム部６２ａ，６２ｂの各一端部はそれぞれ、第１ベースフレーム２０のフレーム部２４ｅに設けられた支持ブラケット３４ａ，３４ｂに固定用ボルト６４により着脱自在に固定されている。これにより、第１支持フレーム４０及び第２支持フレーム４２は、筋交い状に延びる支持アーム部４６ａ，４６ｂ及び支持アーム部６２ａ，６２ｂによって支持されるようになる。
【００３０】
フレーム部６２ｃの長手方向両端部にはそれぞれ支持ブラケット６６ａ，６６ｂが設けられている。これら支持ブラケット６６ａ，６６ｂにはそれぞれ、連結アーム部５０ａ，５０ｂの各一端部が固定用ボルト６７により着脱自在に固定されている。これにより、第１支持フレーム４０のフレーム部４４ｃと第２支持フレーム４２のフレーム部６０ｃとは、略平行に延びる一対の連結アーム部５０ａ，５０ｂによって相互に連結されるようになる。これら一対の連結アーム部５０ａ，５０ｂには、太陽電池パネル６８が着脱自在に支持されている。太陽電池パネル６８の裏面には取付金具７０が設けられており（図７参照）、この取付金具７０を連結アーム部５０ａ，５０ｂに着脱自在に装着することにより、太陽電池パネル６８が一対の連結アーム部５０ａ，５０ｂに支持される。太陽電池パネル６８からの電力は、バッテリ３６に供給されて蓄えられる。
【００３１】
上述した第２支持フレーム４２は、第１支持フレーム４０と同様に、第１ベースフレーム２０に沿って折り畳まれる折畳位置（図２〜図４参照）と、第１ベースフレーム２０から略垂直に立設される使用位置（図１及び図５〜図７参照）との間を回転自在に構成されている。
【００３２】
第１支持フレーム４０のフレーム部４４ｃには、コントロールボックス７２が着脱自在に支持されている。コントロールボックス７２の内部には、電力変換装置（図示せず）が収容されている。この電力変換装置は、バッテリ３６に蓄えられた電力を所定の電力に変換した後に、照明器具１２の各ＬＥＤに供給する。更に、コントロールボックス７２には点灯スイッチ７４が設けられている。点灯スイッチ７４を手動でオンすると、バッテリ３６に蓄えられた電力が電力変換装置を介して照明器具１２に供給され、照明器具１２が点灯される。点灯スイッチ７４を手動でオフすると、バッテリ３６から照明器具１２への電力の供給が遮断され、照明器具１２が消灯される。
【００３３】
次に、図２〜図７をも参照して、上述した設備仮設装置２の設置方法について説明する。設備仮設装置２を設置する前の状態では、ポール４、太陽電池パネル６８、バッテリ３６及びコントロールボックス７２がそれぞれ支持手段６より取り外され、支持手段６は図２に示すようにして折り畳まれている。即ち、支持アーム部４６ａ，４６ｂ（６２ａ，６２ｂ）がそれぞれ支持ブラケット３２ａ，３２ｂ（３４ａ，３４ｂ）から取り外されるとともに、連結アーム部５０ａ，５０ｂがそれぞれ支持ブラケット６６ａ，６６ｂから取り外されている。更に、第１支持フレーム４０及び第２支持フレーム４２はそれぞれ折畳位置に位置付けられ、第２ベースフレーム２２は収容位置に位置付けられている。
【００３４】
この状態より、支持手段６を次のようにして組み立てる。まず、第２ベースフレーム２２を第１ベースフレーム２０から引き出して引出位置に位置付ける（図３参照）。次いで、第１支持フレーム４０を第２ベースフレーム２２側に（図４中の矢印Ｐで示す方向）回転させて折畳位置から使用位置に位置付けるとともに（図４参照）、第２支持フレーム４２を第２ベースフレーム２２側とは反対側（図５中の矢印Ｑで示す方向）に回転させて折畳位置から使用位置に位置付ける（図５参照）。その後、連結アーム部５０ａ，５０ｂの各一端部をそれぞれ固定用ボルト６７により支持ブラケット６６ａ，６６ｂに固定する。更に、支持アーム部４６ａ，４６ｂの各一端部をそれぞれ固定用ボルト４８により支持ブラケット３２ａ，３２ｂに固定するとともに、支持アーム部６２ａ，６２ｂの各一端部をそれぞれ固定用ボルト６４により支持ブラケット３４ａ，３４ｂに固定する（図６参照）。このようにして、支持手段６の組み立てが完了する。
【００３５】
次いで、ポール４を次のようにして支持手段６に支持させる。第２ポール支持部５２の支持カバー５６を固定プレート５４から取り外し、第１ポール支持部２６の可動プレート２８を第２ベースフレーム２２側（図７中の矢印Ｒで示す方向）に回転させる。この状態で、ポール４を収縮状態から伸長状態に保持させた後に、ポール４の下端部を第１ポール支持部２６の支持筒部３０に挿入する（図７参照）。その後、第１ポール支持部２６の可動プレート２８を第２ベースフレーム２２側とは反対側（図７中の矢印Ｓで示す方向）に回転させて、ポール４を傾斜状態から直立状態にする。更にその後、第２ポール支持部５２の支持カバー５６と固定プレート５４との間にポール４の下端部よりも上側の部位を挟み込み、支持カバー５６を固定プレート５４に固定用ボルト５８により固定する。これにより、ポール４の下端部が第１ポール支持部２６によりに支持されるとともに、ポール４の下端部よりも上側の部位が第２ポール支持部５２により支持されるようになる。
【００３６】
その後、太陽電池パネル６８を一対の連結アーム部５０ａ，５０ｂに支持させるとともに、バッテリ３６を第１ベースフレーム２０に支持させ、更にコントロールボックス７２を第１支持フレーム４０に支持させる。太陽電池パネル６８、バッテリ３６、コントロールボックス７２及び照明器具１２を配線（図示せず）で電気的に接続することにより、設備仮設装置２の設置が完了する（図１参照）。
【００３７】
日中には、太陽光が太陽電池パネル６８に照射されることにより、太陽電池パネル６８にて発電された電力がバッテリ３６に蓄えられる。夜間には、コントロールボックス７２に設けられた点灯スイッチ７４を手動でオンすることにより、バッテリ３６に蓄えられた電力が電力変換装置を介して照明器具１２に供給され、これにより照明器具１２が点灯される。
【００３８】
設備仮設装置２を設置場所から撤去する際には、上述したのと逆の手順で設備仮設装置２を分解すればよい。まず、太陽電池パネル６８、バッテリ３６及びコントロールボックス７２を支持手段６から取り外す。次いで、第２ポール支持部５２の支持カバー５６を固定プレート５４より取り外し、ポール４を直立状態から第２ベースフレーム２２側に傾斜させた状態にし、ポール４の下端部を第１ポール支持部２６の支持筒部３０より引き抜く。その後、連結アーム部５０ａ，５０ｂをそれぞれ支持ブラケット６６ａ，６６ｂから取り外すとともに、支持アーム部４６ａ，４６ｂ（６２ａ，６２ｂ）をそれぞれ支持ブラケット３２ａ，３２ｂ（３４ａ，３４ｂ）から取り外す。更にその後、第２支持フレーム４２及び第１支持フレーム４０をそれぞれ使用位置から折畳位置に回転させて折り畳み、第２ベースフレーム２２を引出位置から収容位置にスライド移動させる。
【００３９】
本実施形態の設備仮設装置２では、ポール４が支持手段６によって支持され、この支持手段６を設置場所となる地面に設置すればよいので、地面が例えばアスファルトや泥濘等である場合であっても容易に設置することができ、設置場所の自由度を高めることができる。なお、地面が泥濘である場合には、例えば地面に打ち込んだ杭にベースフレーム１６をワイヤ等で括り付けることにより、支持手段６を地面に安定して設置することができる。
【００４０】
以上、本発明に従う設備仮設装置の一実施形態について説明したが、本発明はかかる実施形態に限定されるものではなく、本発明の範囲を逸脱することなく種々の変形乃至修正が可能である。
【００４１】
上記実施形態では、仮設用設備を照明器具１２から構成したが、これに限られず、例えば防犯カメラやスピーカ、赤色灯、フラッグ（旗）等から構成することもできる。また、上記実施形態では、仮設用設備としての照明器具１２をＬＥＤタイプの照明器具から構成したが、蛍光灯タイプの照明器具や電球タイプの照明器具等から構成することもできる。
【００４２】
また、上記実施形態では、コントロールボックス７２に設けられた点灯スイッチ７４を手動でオンすることにより照明器具１２を点灯させるように構成したが、例えばコントロールボックス７２に照度センサを設けるようにし、太陽が沈んで設備仮設装置２の周囲が暗くなると、照度センサがこれを感知して自動的に照明器具１２を点灯させるように構成することもできる。
【００４３】
また、コントロールボックス７２に非常用コンセントを設けるように構成することもできる。かかる場合には、バッテリ３６に蓄えられた電力が電力変換装置によりＡＣ１００Ｖの電力に変換された後に、非常用コンセントに供給される。これにより、例えば電力確保が困難な災害時等に携帯電話機の充電器を非常用コンセントに差し込むことにより、携帯電話機の充電を行うことができる。また、太陽電池パネル６８からの電力をバッテリ３６に供給する構成に代えて、商用電源からの電力をバッテリ３６に供給するように構成することもできる。
【符号の説明】
【００４４】
２  設備仮設装置
４  ポール
６  支持手段
１２  照明器具
１６  ベースフレーム
１８  支持フレーム
２０  第１ベースフレーム
２２  第２ベースフレーム
２６  第１ポール支持部
３６  バッテリ
４０  第１支持フレーム
４２  第２支持フレーム
５０ａ，５０ｂ  連結アーム部
５２  第２ポール支持部
６８  太陽電池パネル
【図１】
2013008535.tif 000003
【図２】
2013008535.tif 000004
【図３】
2013008535.tif 000005
【図４】
2013008535.tif 000006
【図５】
2013008535.tif 000007
【図６】
2013008535.tif 000008
【図７】
2013008535.tif 000009